(57)【要約】【目的】予約録画内容を他のユーザに知られることなく録画予約が可能な録画予約管理機能に優れた記録装置を提供する。【解決手段】録画予約情報及び録画予約情報の表示に関するパスワードを受け付け、録画予約情報及びパスワードを関連付けて記憶する録画予約処理部と、録画予約情報に基づいて番組データをパスワードに対応する蓄積部に記録する記録処理部と、パスワードの入力に応答し、当該入力パスワード以外のパスワードに関連する録画予約情報を非表示としつつ当該入力パスワードに関連する録画予約情報を表示する予約画面信号を生成する予約画面生成部と、を有している。【選択図】図１
2007274387.tif 000002
【特許請求の範囲】
【請求項１】
放送波を受信する放送受信部と、各々に対してパスワード設定が可能な少なくとも一つの蓄積部と、放送波を受信して得られた番組データを録画予約情報に基づいて前記蓄積部に記録する記録部と、を有する記録装置であって、
前記録画予約情報及び前記録画予約情報の表示に関するパスワードを受け付け、前記録画予約情報及び前記パスワードを関連付けて記憶する録画予約処理部と、
前記録画予約情報に基づいて前記番組データを前記パスワードに対応する前記蓄積部に記録する記録処理部と、
パスワードの入力に応答し、当該入力パスワード以外のパスワードに関連する録画予約情報を非表示としつつ当該入力パスワードに関連する録画予約情報を表示する予約画面信号を生成する予約画面生成部と、を有することを特徴とする記録装置。
【請求項２】
前記録画予約処理部は、パスワードの入力に応答し、当該入力パスワードに関連する記憶済み録画予約情報についての変更を受け付けることを特徴とする請求項１に記載の記録装置。
【請求項３】
前記放送受信部は複数のチューナを有し、前記録画予約処理部は前記録画予約情報に基づいて同時録画番組数を判別し、前記同時録画番組数が前記複数のチューナによる最大同時録画可能番組数を超えた場合に、新たな録画予約情報を受け付けないことを特徴とする請求項１又は２に記載の記録装置。
【請求項４】
前記予約画面生成部は、前記同時録画番組数が前記複数のチューナによる最大同時録画可能番組数を超えた場合にその旨を表示する信号を生成することを特徴とする請求項３に記載の記録装置。
【発明の詳細な説明】
【技術分野】
【０００１】
本発明は、記録装置、特に、テレビジョン放送の予約録画機能を有する記録装置に関する。
【背景技術】
【０００２】
デジタルハイビジョン放送や衛星放送等の進展に伴うテレビジョン放送の多チャンネル化・多角化に伴い、また、デジタルハイビジョン放送受信機、映像機器の普及に伴って、ハイビジョン放送等のテレビジョン映像を光ディスクや磁気ディスク（ＨＤＤ）等の記録媒体にデジタルデータとして録画することが可能なデジタル録画装置の開発が進められている。
【０００３】
光ディスク録画装置としては、例えば、次世代ＤＶＤレコーダであるＢｌｕ−ｒａｙ規格及びＨＤ−ＤＶＤ規格のＤＶＤレコーダの開発・製品化が進められている。また、テレビジョン放送番組等の映像をリアルタイムで録画でき、大容量のデータを記録することが可能な磁気ディスク装置（ＨＤＤ：Hard Disc Drive）をさらに搭載した、磁気ディスク搭載型のＤＶＤレコーダが急速に用いられるようになってきた（例えば、特許文献１参照）。
【０００４】
このような記録再生装置（録画装置）においては、ユーザの事前の操作によるテレビジョン放送の録画予約に基づいて予約録画が可能な予約録画機能を備えたものが殆どである。また、多くの装置が複数のチューナ等の映像受信部を備え、複数の番組を同時に、あるいはオーバーラップして録画することができるようになっている。このようなテレビジョン放送の多チャンネル化・多角化、デジタル録画装置の大容量化等に対応して、録画装置にはさらなる高機能化が求められるようになってきた。
【０００５】
特に、複数のユーザで装置を共用する場合などに、ユーザ（操作者）ごとの録画予約管理機能の充実が求められている。すなわち、自分の録画予約内容と他のユーザ（操作者）の録画予約内容とを区別して録画予約可能なレコーダ装置のニーズが高くなっている。かかる観点において、従来の録画装置では、予約録画機能における録画予約管理機能が十分ではないという課題があった。
【０００６】
特に、録画予約を行う際に、各ユーザ（操作者）の予約情報、予約内容等を他のユーザ（操作者）に知られることなく録画予約を行うことができる安全なレコーダ装置の実現が望まれている。
【特許文献１】特開２００５−３１６７０９号公報（第８−９頁、図１）
【発明の開示】
【発明が解決しようとする課題】
【０００７】
本発明が解決しようとする課題には、上記した問題が１例として挙げられる。本発明は、上述した問題点に鑑みてなされたものであり、その目的とするところは、ユーザ（操作者）ごとの録画予約管理機能に優れた記録装置を提供することにある。また、予約録画内容を他のユーザに知られることなく録画予約可能な記録装置を提供することにある。
【課題を解決するための手段】
【０００８】
本発明による記録装置は、放送波を受信する放送受信部と、各々に対してパスワード設定が可能な少なくとも一つの蓄積部と、放送波を受信して得られた番組データを録画予約情報に基づいて蓄積部に記録する記録部と、を有する記録装置であって、録画予約情報及び録画予約情報の表示に関するパスワードを受け付け、録画予約情報及びパスワードを関連付けて記憶する録画予約処理部と、録画予約情報に基づいて番組データをパスワードに対応する蓄積部に記録する記録処理部と、パスワードの入力に応答し、当該入力パスワード以外のパスワードに関連する録画予約情報を非表示としつつ当該入力パスワードに関連する録画予約情報を表示する予約画面信号を生成する予約画面生成部と、を有することを特徴としている。
【発明を実施するための最良の形態】
【０００９】
以下、本発明の実施例について図面を参照しつつ詳細に説明する。なお、以下に示す実施例において、等価な構成要素には同一の参照符を付している。
【実施例１】
【００１０】
図１は、本発明の実施例１である映像記録再生装置（以下、レコーダ装置、又は単にレコーダという。）１０の構成を模式的に示すブロック図である。
【００１１】
映像記録再生装置１０は、少なくとも１つのチューナを有する受信部１１が設けられている。より詳細には、受信部１１はアンテナ端子（ＡＮＴ）を介してアンテナに接続され、地上波デジタル放送、衛星（ＢＳ）デジタル放送、通信衛星（ＣＳ）デジタル放送等のデジタルチューナ、及び／又は、地上波アナログ放送、ＢＳアナログ放送等のアナログチューナを有している。さらに、受信部１１は、ＣＡＴＶ等や映像外部入力のためのライン入力端子（ＡＶin）を有している。また、受信部１１はＬＡＮ接続端子（ＬＡＮ）、ＬＡＮ接続機能を有し、ＩＰ（Internet Protocol）網に接続され、インターネットを介して電子番組ガイド（ＥＰＧ：Electronic Program Guide）等の番組表データを受信し、当該ＥＰＧデータを元に録画予約ができるように構成されている。さらに、インターネットを介して番組データ等の映像／音声データを受信することができるように構成されていてもよい。
【００１２】
受信部１１はシステムコントローラ１５の制御の下で動作し、録画・再生時や録画予約等を行うに際し、受信部１１に設けられた少なくとも１つのチューナのうちいずれかがシステムコントローラ１５からの制御信号に基づいて選択される。複数の番組が同時録画・再生等される場合には、当該複数の番組に対応する複数のチューナが選択されるように構成されている。
【００１３】
受信部１１からの映像／音声信号（以下においては、音声を含む映像信号についても単に映像信号と称する。）は記録再生信号処理部１２（以下、単に、記録再生部１２ともいう。）によって信号処理及び記録再生に関する制御がなされる。具体的には、記録再生部１２は、受信部１１からのアナログ映像信号及びデジタル映像信号をデジタルデータとして蓄積部２０（後述する）に記録するため、所定の信号に変換等して出力する記録信号処理部として機能するとともに、蓄積部２０への記録に関する制御をなす記録部として機能する。また、当該蓄積部２０に記録されたデジタルデータを再生し、アナログ信号又はデジタル信号に変換して出力する再生装置としても機能する。すなわち、映像データ（番組データ）を蓄積部２０に記録（録画）する記録部として機能するとともに、蓄積部２０に記録（録画）された映像データ（番組データ）を蓄積部２０から再生する再生部としても機能する。
【００１４】
より詳細には、信号処理部１２には、デジタルビデオ信号（音声を含まない）、デジタルオーディオ信号を所定の圧縮データ（ＭＰＥＧ等のエンコードデータ）に符号化（エンコード）するエンコーダ、マルチプレクサＭＵＸ等（図示しない）が設けられている。また、アナログビデオ信号をデジタルビデオ信号に変換するアナログ−デジタル変換器（Ａ／Ｄ変換器）、アナログオーディオ信号をデジタルオーディオ信号に変換するアナログ−デジタル変換器（Ａ／Ｄ変換器）等が設けられていてもよい。
【００１５】
また、記録再生部１２は、上記した処理とは逆の処理をもなすように構成されている。すなわち、エンコードされたデータをデコードするデコーダ、デコードされたデータをアナログビデオ／オーディオ信号に分離・変換するデマルチプレクサＤＥＭＵＸ等が設けられている。また、アナログ表示デバイス（ディスプレイ装置）用の信号出力のため、デジタル−アナログ変換器（Ｄ／Ａ変換器）等が設けられていてもよい。
【００１６】
そして、記録再生部１２において生成されたエンコードデータ（ＭＰＥＧ等のデータ）は、インターフェース（Ｉ／Ｆ）回路２０Ａを介してＤＶＤ（Ｂｌｕ−ｒａｙ，ＨＤ−ＤＶＤ）及びＨＤＤからなる蓄積部２０に供給される。また、蓄積部２０において再生されたエンコードデータは、インターフェース（Ｉ／Ｆ）回路２０Ａを介して記録再生部１２に供給される。
【００１７】
記録再生部１２には、システムコントローラ１５の制御の下で動作する信号切替部１４が設けられている。信号切替部１４は、受信部１１からの入力映像信号の切替えを行うとともに記録再生部１２によって所定の処理がなされた信号（又は、信号処理が不要な場合はそのまま）を蓄積部２０へ、あるいは映像・音声出力端子（ＡＶout）を介して外部のディスプレイ装置に出力する。また、信号切替部１４は、蓄積部２０からの再生信号の切替えを行い、記録再生部１２によって所定の処理がなされた信号（又は、信号処理が不要な場合はそのまま）を映像・音声出力端子（ＡＶout）を介して外部のディスプレイ装置に出力する。また、システムコントローラ１５の制御や録画予約処理部１６によって生成された予約画面信号、画面表示信号や、録画や再生に関する種々の情報が映像・音声出力端子（ＡＶout）から出力され、外部のディスプレイ装置に表示できるようになっている。さらに、レコーダ装置１０には液晶等を用いた表示部２６が設けられている。表示部２６は記録再生部１２及びシステムコントローラ１５に接続され、録画や再生に関する情報が表示されるようになっている。
【００１８】
上記したように、蓄積部２０には、記録再生部１２からのエンコードデータがインターフェース（Ｉ／Ｆ）回路２０Ａを介して供給される。より詳細には、インターフェース（Ｉ／Ｆ）回路２０Ａにはデータバスを介して光ディスク駆動部２１及びＨＤ（ハードディスク）駆動部２３が接続されている。
【００１９】
光ディスク駆動部２１は、ＤＶＤディスク、Ｂｌｕ−ｒａｙディスク、ＨＤ−ＤＶＤディスク等の光ディスク２２を駆動し、Ｉ／Ｆ回路２０Ａを介して供給されたデータを光ディスク２２に記録する。例えば、光ディスク２２がＤＶＤの場合では数ＧＢ（ギガバイト）、Blu-rayディスク、ＨＤ−ＤＶＤディスク等の場合では数１０ＧＢ程度の記録容量を有している。なお、以下においては、光ディスクとしてBlu-rayディスクを用い、記録及び再生を行う場合を例に説明する。
【００２０】
また、ＨＤ駆動部２３は、ハードディスク２４を駆動し、Ｉ／Ｆ回路２０Ａを介して供給されたデータをハードディスク２４に蓄積（格納）する。例えば、ハードディスク２４Ａは、一般的には数１００ＧＢ〜数ＴＢ（テラバイト）程度の蓄積容量を有する。また、光ディスク駆動部２１及びＨＤ駆動部２３は、システムコントローラの制御の下で動作するように構成されている。
【００２１】
なお、レコーダ装置１０の各構成部、回路等は信号バス（図示しない）によってシステムコントローラ１５に接続され、システムコントローラ１５の制御下で動作するように構成されている。すなわち、システムコントローラ１５はレコーダ装置１０の全体の制御を行う。また、システムコントローラ１５には、システムコントローラ１５がレコーダ装置１０の制御を実行するために必要なデータ、コマンド、設定値等を格納するためのメモリ（ＲＡＭ，ＲＯＭ）１７が双方向的に接続されている。
【００２２】
また、システムコントローラ１５には、録画予約処理部１６が設けられている。録画予約処理部１６は、ユーザによって操作入力部１８から入力されたコマンド、データ等に基づいて録画予約処理をなし、当該録画予約設定データを保持する。後に詳述するように、システムコントローラ１５は当該録画予約処理によって設定された設定データに基づいて、受信部１１及び記録再生部１２（及び切替部１４）を制御する。
【００２３】
さらに、システムコントローラ１５には、レコーダ装置１０を外部から操作するためのコマンド、データ等を入力するための操作入力部１８が接続されている。なお、操作入力部１８は、赤外線（ＩＲ）等を用いてデータ等を入力するための遠隔入力装置（コントローラ）等であってもよいのは当然である。
［録画予約］
図２は、レコーダ装置１０の録画予約時における手順を示すフローチャートである。当該録画予約の動作はシステムコントローラ１５の制御の下で行われる。
【００２４】
まず、録画予約の開始に際して、当該録画予約を行うユーザ（操作者）にユーザ名及びパスワード（ＰＷ）の入力を促す表示（プロンプト）が外部のディスプレイ装置の画面上に、あるいは表示部２６に表示される。
【００２５】
例えば、記録媒体がブルーレイ・ディスク・リライタブル（Blu-ray Disc Rewritable）の場合では、後述するように、パスワードとして、UIAppinfoBDAVのSyntaxにおけるＰＩＮ（４桁の数値からなる）を利用することができる。より詳細には、ブルーレイ・ディスク・リライタブルでは、ディスク（又はコンテンツ）単位で再生保護をかけることができる。
【００２６】
より詳細には、ブルーレイ・ディスク・リライタブルの規格では、UIAppinfoBDAVのSyntaxにはBDAV-protect-flagやPIN等が定義され、UIAppinfoPLAYLISTのSyntaxにはplayback-protect-flag等が定義されている。PINはISO/IEC646コードで示された４桁の数値である。そして、BDAV-protect-flagが"1"の場合は、正しいPINが入力されないとBDAVディレクトリは再生されない。すなわち、PINは再生パスワードとして機能する。また、playback-protect-flagが"1"のPLAYLISTは、正しいPINが入力されないと再生されない。Blu-rayディスク上でBDAVディレクトリは１つであるため、PINはディスクに１つである。
【００２７】
このように、ブルーレイ・ディスクでは、パスワードはディスクで１つしか使えないが、ハードディスク（ＨＤ）等では複数のパスワードを用いることができる。すなわち、ハードディスクの各コンテンツ格納部分の各々にパスワード設定が可能である。つまり、当該パスワードは管理情報上にＰＩＮとして設定される。以下においては、パスワード設定によって区別可能な光ディスク及びハードディスクの各コンテンツ格納部分の各々をそれぞれ１つの蓄積部として説明する。例えば、レコーダ装置１０が１のブルーレイ・ディスクを有し、ハードディスクがＮ個の格納部分からなるとき、Ｎ＋１個の蓄積部を有し、その各々に対し１個のパスワード設定（全部でＮ＋１個のパスワード）が可能である。
【００２８】
なお、以下においては、レコーダ装置１０には外部のディスプレイ装置（図示しない）が接続され、当該外部ディスプレイ装置の画面上に予約情報等の必要な表示をなしつつ録画予約が行われる場合を例にして説明する。
【００２９】
録画予約処理部１６は、当該入力プロンプトに対してパスワードの入力があるか否かを判別する（ステップＳ１１）。録画予約処理部１６がパスワードの入力があったと判別した場合には、入力パスワードが有効であるか検証される。すなわち、録画予約処理部１６は、ユーザ名及びパスワード（ＰＷ）の対応を表すパスワードテーブル（図示しない）を、例えばメモリ１７に格納している。録画予約処理部１６は、当該パスワードテーブルに基づいて、入力パスワードが当該ユーザのものと一致するか否かを判別する（ステップＳ１２）。入力パスワードが当該ユーザのものであると検証された場合には、入力パスワードに対応する予約画面がディスプレイ装置の画面上に表示される（ステップＳ１３）。
【００３０】
図３は、上記した入力パスワードに対応する予約画面表示の一例を示している。例えば、ユーザ番号（Ｕ０１）のユーザが当該ユーザのパスワード（ＰＷ０１）を入力した場合の画面表示を示している。なお、以下では、ユーザパスワードが、ＰＩＮとして用いることが可能な４桁の数値からなる場合を例に説明する。
【００３１】
予約番号（“０１”）の予約内容については、パスワード保護欄に“ＰＷ０１”が表示され、“ＰＷ”に続く２桁の数字“０１”によって既に当該ユーザ（ユーザ番号：Ｕ０１）による録画予約がなされていることを示している（図３において、実線で囲んで示している）。図３において、パスワード保護欄の“ＰＷ０１”という表示はパスワード自体を表示するものではなく、当該ユーザ（ユーザ番号：Ｕ０１）のパスワードによって予約されたことを示しているに過ぎない。つまり、たとえ他のユーザ（操作者）が当該画面表示を見ることがあっても当該パスワード自体を知ることができないように、パスワード自体の保護を図っている。
【００３２】
予約番号“０２”，“０４”，“０８”の予約内容については、パスワード保護欄に“非保護”の旨が表示され、パスワード保護がなされていない録画予約であることを表している。“非保護”の予約については、日時（月日及び時刻）やチャンネル、録画先（録画ディレクトリ）、録画モード等の予約内容が表示され、当該ユーザ（操作者）が他のユーザがパスワード保護を行わずに予約した予約内容自体を知ることができるようになっている。なお、上記録画先は、録画データを格納する媒体を示している。例えば、「ＨＤＤ」はハードディスクを録画先（ディレクトリ）として、「Ｂｌｕ」はBlu-rayディスクを録画先（ディレクトリ）として指定することを意味する。また、ハードディスクを複数のディレクトリ（蓄積部）に区別して録画先（ディレクトリ）としてもよい。また、前述のように、ハードディスクでは複数のパスワード（ＰＩＮ）を用いることができるため、例えば当該パスワードに対応させてユーザごとに、個別にそれぞれのディレクトリ（蓄積部）を規定することもできる。
【００３３】
また、予約番号“０３”，“０５”，“０６”の予約内容については、パスワード保護欄に“＊＊＊＊”と表示され、他のユーザによって既に録画予約がなされていることを示している。なお、当該パスワード保護欄の表示“＊＊＊＊”は、パスワードがマスク状態（隠された状態）であることを示し、パスワード自体の保護がなされている。さらに、日時（月日及び時刻）や放送チャンネル（ＣＨ＃＃）等の予約内容は表示されておらず、当該ユーザ（操作者）が当該画面表示をみてもパスワード保護を行って予約した他のユーザの予約内容自体を知ることができないよう、予約内容の保護を図っている。
【００３４】
また、予約番号“０７”の予約内容については、後述するように、ユーザ（Ｕ０１）が新たな予約（現在予約）操作中又は既予約内容の変更操作中であることを示している（図３において、破線で囲んで示している）。すなわち、録画予約処理部１６は、パスワードの入力に応答し、当該入力パスワードに関連する記憶済みの録画予約情報についての変更を受け付ける。なお、実際には、新たな予約又は既予約内容の変更について、他の予約と区別できるように、例えば、他の文字表示とは異なる色彩や反転表示等を用いて表示することができる。
【００３５】
上記したように、録画予約処理部１６は予約画面生成部（図示しない）を有し、パスワードが設定された場合に録画予約を行う際の表示をパスワード毎に別画面としている。つまり、当該予約画面生成部は、パスワード付きの予約画面表示においては、そのパスワードに一致する予約内容について画面表示がなされ、パスワードで保護された他のユーザ（操作者）の予約内容については表示されないような予約画面信号を生成する。当該予約画面信号は、記録再生部１２を介してＡＶ出力端子（ＡＶout）から外部ディスプレイ装置に出力される。
【００３６】
図４は、図３に示した場合との比較のために、他のユーザ（ユーザ番号：Ｕ０２）が当該ユーザの有効なパスワード（ＰＷ０２）を入力した場合に表示される表示画面を示している。上記したように、“ＰＷ０２”という表示はパスワード自体を表示するものではなく、当該ユーザ（ユーザ番号：Ｕ０２）のパスワード（非表示）によって予約されたことを示しているに過ぎない。
【００３７】
また、予約番号“０３”，“０６”については、当該他のユーザ（ユーザ番号：Ｕ０２）が既に録画予約を行ったことが表示されている。また、予約番号“０１”，“０５”，“０７”については、パスワード保護欄に“＊＊＊＊”と表示され、当該ユーザ（ユーザ番号：Ｕ０２）とは異なる別のユーザによって既に録画予約がなされていることが表示されている。
【００３８】
さらに、予約番号“０２”，“０４”，“０８”は、図３に示した場合と同様に、パスワード保護がなされていない録画予約を表している。かかる“非保護”の予約については、日時（月日及び時刻）やチャンネル等の予約内容が表示され、他のユーザがパスワード保護を行わずに予約した予約内容自体を知ることができるようになっている。
【００３９】
再び、図２を参照すると、入力パスワードに対応する予約画面の表示がなされ（ステップＳ１３）、録画予約処理部１６は、ユーザによる録画予約についての情報を受け付ける（ステップＳ１４）。つまり、当該ユーザは予約画面表示を参照しつつ所望の番組についての予約情報（月日及び時刻、チャンネル、指定録画先（ディレクトリ）、録画モード等）を入力する（ステップＳ１４）。
【００４０】
例えば、図３に示すように、ユーザ（Ｕ０１）は、予約番号“０７”として録画予約を行う所望の番組についての予約情報（月日及び時刻、チャンネル、録画先（ディレクトリ）、録画モード等）を入力し、当該予約情報は画面上に表示される（図３において、破線で囲んで示している）。
【００４１】
なお、この際、ユーザによる操作による操作入力部１８からの表示画面モード変更指示に基づいて、図５に示すように、当該予約情報に対応した番組表（例えば、ＥＰＧデータ）が表示される。ユーザ（Ｕ０１）が現在予約操作中又は既予約内容の変更操作中であることは当該番組表上に表示される。例えば、当該予約操作中の番組は他の番組表示とは異なる色彩や反転表示等を用いて表示することができる。なお、この画面表示においても、当該ユーザ（Ｕ０１）の録画予約情報及びパスワード保護がなされていないユーザの録画予約情報に関してのみ表示がなされ、パスワード保護がなされている録画予約情報に関しては表示がなされない。
【００４２】
また、図５に示すように、各番組には、当該番組のそれぞれを識別する番組識別コードＰＲＣ（[P121], [P122]等）が付されている。システムコントローラ１５は、例えばＥＰＧデータに基づいて、番組識別コードＰＲＣと当該番組が放送される「日付」、「チャンネル」、「番組開始時間」、「番組終了時間」等の放送データとの対応を表す番組識別コードテーブルを有しており、番組識別コードＰＲＣによってその番組の放送データを判別できるようになっている。あるいは、当該番組識別コードＰＲＣ自体が上記放送データの内容を含むようにコード化されたものであってもよい。
【００４３】
また、図６は、ステップＳ１１において、ユーザ（ユーザ番号：Ｕ０３とする）からパスワードの入力が無いと判別された場合に表示される番組表の画面表示である。この場合には、パスワード保護がなされている録画予約情報に関しては表示がなされず、パスワード保護がなされていない録画予約情報のみが表示される。
【００４４】
録画予約処理部１６は、ユーザによる録画予約が入力されると予約受付可能か否かを判別する（ステップＳ１５）。より詳細には、録画予約処理部１６は、入力された予約情報及び後述する録画予約テーブルに基づいて、受信部１１のいずれのチューナが用いられるか、予約済みの録画との予約時間帯の重複（オーバーラップ）等を判別して予約受付可能か否か、すなわち、録画予約が実行可能か否かを判別する。つまり、録画予約処理部１６は、受信部１１に設けられたチューナ数及び録画予約情報に基づいて同時録画が可能な番組の最大数を判別し、録画予約による同時録画番組数が当該最大同時録画可能番組数を超えた場合に、新たな録画予約情報を受け付けない処理をなす。
【００４５】
ステップＳ１５において当該録画予約が受付可能であると判別された場合には、録画予約テーブルを作成し（ステップＳ１６）、又は作成済み録画予約テーブルに当該録画予約の追加を行い、本録画予約ルーチンを抜ける。図７は、当該録画予約テーブルの一例を示す図である。上記した番組識別コードＰＲＣと当該番組を録画予約したユーザのパスワードＰＷ（又はＰＩＮ）が対応付けられ、メモリ１７に蓄積されている。また、録画予約番号、予約内容として番組内容（月日、番組開始／終了時刻、チャンネル等）、ユーザ名、録画先（ディレクトリ）、録画モードを含む各種設定が対応付けられて蓄積されている。なお、上記したように、番組識別コードＰＲＣ自体が放送番組の内容（月日、番組開始／終了時刻、チャンネル等）を含むようにコード化されている場合には、かかる内容については、録画予約テーブルから除外することができる。この場合、録画予約処理部１６が番組識別コードから当該放送番組の内容をデコードする。
【００４６】
ステップＳ１５において当該録画予約が受付不可能であると判別された場合には、録画予約が不可能であることを表すメッセージ表示を行う。例えば、２番組の同時録画が可能な場合に、３つの番組の予約が重複する時間帯があり予約が不可能である場合など、最大同時録画可能番組数を超えた場合には、その旨のメッセージ表示を行う（ステップＳ１７）。また、パスワード設定有り及びパスワード設定無し又は異なるパスワード設定による予約によって、同一番組が録画予約された場合であって、録画先がどちらも光ディスク（Blu-ray等）が指定された場合には、パスワードはディスクに１つなので（１つしか記録できないので）、その旨のメッセージ表示を行う。
【００４７】
その後、ステップＳ１４に戻って、再度の録画予約情報の入力を受け付け、上記した手順を繰り返す。
【００４８】
ステップＳ１２において、入力パスワードが当該ユーザのものと一致しない（無効）であると判別された場合には、当該入力パスワードを新たな入力パスワードとして前述のパスワードテーブルに登録し、新たな入力パスワードに対応する予約画面を表示する（ステップＳ１８）。なお、この場合に表示される表示画面は、図３又は図４に示したものと同様である。その後、上記したのと同様にステップＳ１４以降の手順を実行する。
【００４９】
また、ステップＳ１１において、ユーザ（ユーザ番号：Ｕ０３とする）からパスワードの入力が無いと判別された場合には、パスワードを指定しない（パスワード無し）場合の予約画面を表示する（ステップＳ１９）。この場合に表示される表示画面は、図８に示すように、図３又は図４に示した画面表示からパスワード保護がなされている録画予約情報（予約番号No.1,3,5-7）が非表示となっており、パスワード保護がなされていない情報のみが表示されている。その後、上記したのと同様にステップＳ１４以降の手順を実行する。
【００５０】
上記したように、本実施例においては、録画予約を行う際に、ユーザ（操作者）ごとにパスワードを設定することが可能である。そして、パスワードが設定された場合に録画予約を行う際の表示はパスワード毎に別画面になっている。より具体的には、パスワード付きの予約画面表示においては、そのパスワードに一致する予約内容について画面表示がなされ、その情報を見たり、修正、追加等の変更を行うことができる。パスワードで保護された他のユーザ（操作者）の予約内容については表示がなされない。すなわち、特定のパスワードが入力された場合には、少なくともそのパスワードと異なるパスワードが設定された録画予約内容は表示されない。なお、他のユーザ（操作者）の予約内容であっても、パスワードで保護されていない録画予約内容については画面表示がなされる。
【００５１】
パスワード設定がなされない場合の録画予約画面は、パスワード設定無しの録画予約内容のみが表示され、パスワードで保護されたユーザ（操作者）の予約内容については表示がなされない。
【００５２】
また、新たな録画予約を行う際には、その時点までに既になされている、パスワードで保護された他のユーザ（操作者）の録画予約済みの内容と、パスワードで保護されていない録画予約済みの内容の全てが検査される。そして、当該新たな録画予約と、予約済みの録画との予約時間帯の重複（オーバーラップ）等を判別して予約録画が可能か否かが確定される。当該新たな録画予約が不可能であると判別された場合には、録画予約が不可能であることを表すメッセージ表示を行う。
［予約録画の実行］
図９、図１０は、レコーダ装置１０の予約録画の実行時における手順を示すフローチャートである。当該予約録画を実行する際の動作はシステムコントローラ１５の制御の下で行われる。
【００５３】
本実施例において、予約録画を実行するに際してもパスワード保護がかけられている。記録媒体が、例えば、ブルーレイ・ディスク・リライタブル（Blu-ray Disc Rewritable）の場合では、前述のように、ＰＩＮ（ＰＩＮ番号）をパスワードとして用いることができる。より詳細には、ブルーレイ・ディスク・リライタブルの規格では、UIAppinfoBDAVのSyntaxにはBDAV-protect-flagやPIN等が定義され、UIAppinfoPLAYLISTのSyntaxにはplayback-protect-flag等が定義されている。PINはISO/IEC646コードで示された４桁の数値である。そして、BDAV-protect-flagが"1"の場合は、正しいPINが入力されないとBDAVディレクトリは再生されない。すなわち、PINは再生パスワードとして機能する。また、playback-protect-flagが"1"のPLAYLISTは、正しいPINが入力されないと再生されない。Blu-rayディスク上でBDAVディレクトリは１つであるため、PINはディスクに１つである。
【００５４】
まず、録画予約処理部１６は、録画予約テーブル（図７）に基づいて、録画予約の時刻が到来したか否かを判別する（ステップＳ３１）。なお、録画予約処理部１６は、後述するような録画実行前に行われる録画準備動作に必要な時間を考慮し、当該予約録画開始時刻よりも所定時間前の時刻（すなわち、予約録画の準備開始時刻。例えば、当該予約録画開始時刻の数秒〜数分前）が到来したか否かを判別する。
【００５５】
ステップＳ３１において、予約録画開始時刻（予約録画の準備開始時刻）が到来したと判別された場合には、録画予約処理部１６によって、当該録画予約にパスワードが有るか否か、すなわち、当該録画予約にパスワード保護がなされているか否かが判別される（ステップＳ３２）。
【００５６】
ステップＳ３２において、パスワード保護がなされている録画予約であると判別された場合には、録画予約処理部１６は切替部１４を制御して録画中の画面の表示出力を禁止（ＡＶ出力オフ）するとともに、当該録画内容（録画予約情報）の表示を禁止（動作表示オフ）する再生保護がなされる（ステップＳ３３）。また、表示部２６への録画予約情報出力及び／又はＡＶ出力をも禁止して表示をオフとする。以下、かかる表示禁止モードを再生保護モードともいう。
【００５７】
録画予約処理部１６は、予約内容である番組内容（月日、番組開始／終了時刻、チャンネル等）、録画先（ディレクトリ）及び録画モードを含む各種設定に基づき、録画実行の設定（録画準備）を行う（ステップＳ３４）。
【００５８】
上記録画設定（録画準備）が完了した後、当該予約された時刻から予約録画を実行する（ステップＳ３５）。
【００５９】
録画予約処理部１６は、録画を実行中において、録画中の画面の表示を可能とする表示要求が、操作入力部１８から有るか否かを判別する（ステップＳ３６）。
【００６０】
ステップＳ３６において、録画中の画面の表示要求が有ったと判別された場合には、図１０に示すように、録画予約処理部１６は、パスワードの入力を促す表示（プロンプト）を行い、パスワードの入力を求める。当該入力プロンプトに対してパスワードの入力があるか否かを判別する（ステップＳ５１）。録画予約処理部１６がパスワードの入力があったと判別した場合には、次に、当該録画予約に設定されたパスワードと入力されたパスワードが一致するか否かを判別する（ステップＳ５２）。
【００６１】
入力パスワードが当該録画予約パスワードと一致すると検証された場合には、録画中の画面の表示出力を許可（ＡＶ出力オン）するとともに、当該録画内容の表示を許可（動作表示オン）する再生許可がなされる（ステップＳ５３）。以下においては、かかる表示許可モードを再生許可モードともいう。その後、ステップＳ３７（図９）に戻ってそれ以降のステップを実行する。
【００６２】
上記したステップＳ３６〜Ｓ５１〜Ｓ５３〜Ｓ３７においては、入力パスワードが録画（記録）中の番組データに関するパスワードであると判別された場合に、当該録画中の番組データの映像表示を行うことができるように構成した場合について説明した。かかる手順と同様に、入力パスワードが録画中の番組データに関するパスワードであると判別された場合に、いわゆる追いかけ再生を行うことができるようにしてもよい。つまり、録画予約処理部１６がパスワードが有効である（正しい）と検証し、追いかけ再生指示を受け付けた場合、録画予約処理部１６は当該番組データを録画しつつ当該録画した番組データを蓄積部２０（詳細には、蓄積部２０のうち録画を行った媒体（光ディスク又はＨＤＤ）から再生する追いかけ再生の指示を受け付け、蓄積部２０及び記録再生記録再生部１２は、当該指示に応答して追いかけ再生を行うように構成してもよい。
【００６３】
ステップＳ５１においてパスワードの入力が無かったと判別された場合、及びステップＳ５２において入力パスワードと当該録画予約パスワードとが一致しないと判別された場合には、ステップＳ３７（図９）に戻ってそれ以降のステップを実行する。
【００６４】
再び、図９を参照すると、ステップＳ３６において、録画中の画面の表示要求が無かったと判別された場合には、録画が終了か否かが判別される（ステップＳ３７）。録画がまだ終了してはいないと判別された場合には、ステップＳ３６に戻って上記した手順を繰り返す。
【００６５】
ステップＳ３７において、録画が終了したか否かが判別される。録画が終了したと判別された場合には、当該録画予約のパスワード（４桁の数値からなるパスワード、例えば、図７を参照）をＰＩＮとして設定し、かつ、保護フラグ（BDAV-protect-flag等）を"1"（保護オン）として管理情報を記録する（ステップＳ３８）。これにより、録画終了と同時に録画したデータには再生保護がかかることになる。ステップＳ３８が終了した後、制御は本ルーチンを抜ける。
【００６６】
前述のように、ブルーレイ・ディスクの場合では、BDAV-protect-flagが"1"の場合は、正しいPINが入力されないとBDAVディレクトリは再生されないため、PINは再生パスワードとして機能する。また、playback-protect-flagが"1"のPLAYLISTは、正しいPINが入力されないと再生されない。Blu-rayディスクではPINはディスクについて１つであるが、ハードディスクでは、PINを複数設けることが可能である。
【００６７】
本実施例においては、予約録画を実行するに際しても（予約録画中においても）パスワードによる再生保護がかけられ、安全である。すなわち、従来のレコーダでは、再生保護をする場合には、まず番組を録画し、その後録画した番組を選んでパスワード（ＰＩＮ）と保護フラグ（BDAV-protect-flag等）の設定を行う必要があった。このため、録画してから再生保護をおこなうまでは再生保護がかかっていない状態であった。
【００６８】
しかしながら、本実施例によれば、録画予約時にパスワードを設定しておき、録画の終了と同時に、自動的に、パスワード（ＰＩＮ）の設定及び保護フラグの設定が行われる。すなわち、当該録画予約時に設定したパスワードで自動的に録画データに再生保護がかかり、第三者に内容を知られることなく安全である。
【００６９】
他方、パスワード保護のなされていない録画予約の場合について、再び図９を参照して説明する。
【００７０】
ステップＳ３２において、パスワード保護がなされていない録画予約であると判別された場合には、録画中の画面の表示出力を許可（ＡＶ出力オン）するとともに、当該録画内容の表示を許可（動作表示オン）する再生許可がなされる（ステップＳ３９）。
【００７１】
録画予約処理部１６は、予約内容である番組内容（月日、番組開始／終了時刻、チャンネル等）、録画先（ディレクトリ）及び録画モードを含む各種設定に基づき、録画実行の設定（録画準備）を行う（ステップＳ４０）。
【００７２】
上記録画設定（録画準備）が完了した後、当該予約された時刻から予約録画を実行する（ステップＳ４１）。上記したように、録画を実行中において、表示出力許可（ＡＶ出力オン）及び動作表示許可がなされている（表示許可モード）ので、録画中の画面、予約内容である番組内容等が表示される。
【００７３】
ステップＳ４２において、録画が終了したと判別された場合には、ＰＩＮに“0000”を設定し、かつ、保護フラグ（BDAV-protect-flag等）を"0"（保護オフ）として管理情報を記録する（ステップＳ４３）。すなわち、録画したデータには再生保護がかかっていない。ステップＳ４３が終了した後、制御は本ルーチンを抜ける。
【００７４】
以上、詳細に説明したように、録画予約を行う際に、ユーザ（操作者）ごとにパスワードを設定することが可能であり、パスワードが設定された場合に録画予約を行う際の表示はパスワード毎に別画面になっている。そして、特定のパスワードが設定された場合には、少なくともそのパスワードと異なるパスワードが設定された録画予約内容は表示されず、録画予約内容にも保護がかかる。また、新たな録画予約を行う際には、その時点までに既になされている録画予約済みの内容と、当該新たな録画予約との予約時間帯の重複等をチェックされ、予約録画が可能か否かが判別される。
【００７５】
従って、ユーザ（操作者）ごとのパスワードの設定によって、録画予約を行う際においても他のユーザの録画予約内容にも保護がかかり、予約内容を知られることなく安全なレコーダ装置が提供される。
【００７６】
さらに、予約された録画を実行するに際しても（予約録画中においても）、パスワードによる再生保護がかけられ、安全である。すなわち、予約録画の終了後のみならず、録画予約の時点から予約録画の実行が終了する迄の間においてもパスワードによる再生保護がかけられ、第三者に予約内容及び録画内容を知られることなく安全である。
【００７７】
なお、映像データを蓄積する蓄積部としてハードディスク、及び光ディスクを用いた場合を例に説明したが、磁気ディスク、ＭＯディスク、あるいはＲＡＭ等の半導体メモリを用いた蓄積装置であってもよい。
【００７８】
さらに、本発明は、ＨＤＤ等の記憶装置及び光ディスク（ＤＶＤ）等の記録装置を搭載したＤＶＤレコーダ等の記録再生装置に限らず、例えば上記記憶装置及び記録媒体記録装置を搭載したＰＣ（パーソナルコンピュータ）等、またはこれらに等価な記録装置にも適用することができる。
【００７９】
上記した実施例は適宜組み合わせて適用することができる。
【図面の簡単な説明】
【００８０】
【図１】本発明の実施例１である映像記録再生装置の構成を模式的に示すブロック図である。
【図２】レコーダ装置の録画予約時における手順を示すフローチャートである。
【図３】入力パスワードに対応する予約画面表示の一例を示す図である。
【図４】図３に示した場合とは異なるユーザ（Ｕ０２）が当該ユーザの有効なパスワード（ＰＷ０２）を入力した場合に表示される画面表示を示す図である。
【図５】当該予約情報に対応して画面に表示される番組表を示す図である。
【図６】ユーザからパスワードの入力が無いと判別された場合に表示される番組表の画面表示を示す図である。
【図７】番組識別コードＰＲＣ、録画予約したユーザのパスワードＰＷ（又はＰＩＮ）及び予約内容が対応付けられ、メモリに蓄積されている録画予約テーブルの一例を示す図である。
【図８】パスワード入力が無い場合に表示される録画予約画面表示であり、パスワード保護がなされていない情報のみが表示されている。
【図９】レコーダ装置の予約録画の実行時における手順を示すフローチャートである。
【図１０】レコーダ装置の予約録画の実行時において、録画中の画面の表示要求があった場合の手順を示すフローチャートである。
【符号の説明】
【００８１】
１０  記録再生装置
１１  受信部
１２  記録再生部
１４  切替部
１５  システムコントローラ
１６  録画予約処理部
１７  メモリ
１８  操作入力部
２０  蓄積部
２１  光ディスク駆動部
２３  ＨＤ（ハードディスク）駆動部
【図１】
2007274387.tif 000003
【図２】
2007274387.tif 000004
【図３】
2007274387.tif 000005
【図４】
2007274387.tif 000006
【図５】
2007274387.tif 000007
【図６】
2007274387.tif 000008
【図７】
2007274387.tif 000009
【図８】
2007274387.tif 000010
【図９】
2007274387.tif 000011
【図１０】
2007274387.tif 000012